(57)【要約】【課題】  吊り下げ保持される軒樋をその長手方向でスムーズに摺動させることができて施工し易くなり、施工仕上がり外観も良好となる軒樋支持具を提供する。【解決手段】  軒樋１をその前後で吊り下げ保持する軒樋支持具において、軒樋１の前耳部２の内側に形成されて下内方へ開口した凹溝３に挿入係止される係止板状片４を支持具本体５の前端部分に備え、係止板状片４の上端縁を正面視略円弧状の山形部６として形成した。そして、山形部６を、係止板状片４の上端縁の両角部分に配設される面取り状山形部６ａと、両面取り状山形部６ａの間に設けられて面取り状山形部６ａよりも高い中央山形部６ｂと、に分けて形成した。【選択図】図１
2006322146.tif 000002
【特許請求の範囲】
【請求項１】
軒樋をその前後で吊り下げ保持する軒樋支持具であって、軒樋の前耳部の内側に形成されて下内方へ開口した凹溝に挿入係止される係止板状片を支持具本体の前端部分に備えており、係止板状片の上端縁を正面視略円弧状の山形部として形成した軒樋支持具。
【請求項２】
山形部を、係止板状片の上端縁の両角部分に配設される面取り状山形部と、両面取り状山形部の間に設けられて面取り状山形部よりも高い中央山形部と、に分けて形成したことを特徴とする請求項１記載の軒樋支持具。
【請求項３】
面取り状山形部よりも中央山形部を曲率半径が大きくなるように形成したことを特徴とする請求項２記載の軒樋支持具。
【請求項４】
面取り状山形部と中央山形部との間に切欠状凹部を形成したことを特徴とする請求項２又は３記載の軒樋支持具。
【請求項５】
軒樋の前耳部の下側内面に摺接される略円弧状に湾曲したガイド板状片を係止板状片の両側に配設したことを特徴とする請求項１〜４のいずれか一つに記載の軒樋支持具。
【発明の詳細な説明】
【技術分野】
【０００１】
本願発明は、軒樋をその前後で吊り下げ保持する軒樋支持具であって、詳しくは、軒樋の前耳部の内側に形成されて下内方へ開口した凹溝に挿入係止される係止板状片を支持具本体の前端部分に備えた軒樋支持具に関するものである。
【背景技術】
【０００２】
従来から、図６、７に示す如く、軒樋１をその前後で吊り下げ保持する軒樋支持具であって、軒樋１の前耳部２の内側に形成されて下内方へ開口した凹溝３に挿入係止される係止板状片４を支持具本体５の前端部分に備えた軒樋支持具は知られている（特許文献１：特開平７−２１７１２０号公報）。この場合、支持具本体５の前後方向中程位置上側に支持腕体９の前端部分が固着され、この支持腕体９の後端部分には取着板体１０が固着されており、この取着板体１０が建物の軒先前端面（鼻板前面）に取り付けられることで、軒樋支持具は同軒先前端面に取着固定される。
【０００３】
そして、支持具本体５の後端部分には後耳保持部１３が備えられており、この後耳保持部１３に軒樋１の後耳部１７が係合され、軒樋１の前耳部２内側の凹溝３が前記係止板状片４で係止支持されることによって、軒樋１はその前後で吊り下げ保持される。軒樋１の後耳部１７がその外側から後耳保持部１３で保持されているのに対し、軒樋１の前耳部２ではその内側に形成された凹溝３に挿入係止される係止板状片４で保持されているが、これは、軒樋１の前側に軒樋支持具が露出しないようにして施工仕上がり外観を向上させているのである。
【０００４】
軒樋１を吊り下げ保持させて施工するに際しては、軒樋１を接続する作業等のために同軒樋１をその長手方向で軒樋支持具に対して摺動させる必要がある。その際、軒樋１の後耳部１７が後耳保持部１３の内底面上で比較的スムーズに摺動されるのに対し、軒樋１の前側では、係止板状片４の上端縁上で凹溝３の内上面が引っ掛かってスムーズには摺動され難いものである。特に、係止板状片４の上端縁の両角部４ａが凹溝３の内上面に引っ掛かって、スムーズに摺動され難いものである。又、この問題は軒樋支持具の取り付け状態に影響して発生するもので、すなわち、複数の軒樋支持具が軒先に沿って直線的に配置されていない場合に多く発生する。
【特許文献１】特開平７−２１７１２０号公報
【発明の開示】
【発明が解決しようとする課題】
【０００５】
本願発明は、上記背景技術に鑑みて発明されたもので、その課題は、吊り下げ保持される軒樋をその長手方向でスムーズに摺動させることができて施工し易くなり、施工仕上がり外観も良好となる軒樋支持具を提供することである。
【課題を解決するための手段】
【０００６】
上記課題を解決するために、本願発明の軒樋支持具は、軒樋をその前後で吊り下げ保持する軒樋支持具であって、軒樋の前耳部の内側に形成されて下内方へ開口した凹溝に挿入係止される係止板状片を支持具本体の前端部分に備えており、係止板状片の上端縁を正面視略円弧状の山形部として形成したものである。
【発明の効果】
【０００７】
本願発明の軒樋支持具においては、軒樋の前側で前耳部の内側に形成された凹溝に挿入係止される係止板状片にて保持されるので、軒樋はその前側に軒樋支持具が露出しないように吊り下げ保持されて、施工仕上がり外観は良好となる。しかも、係止板状片の上端縁は正面視略円弧状の山形部として形成されているので、この山形部が凹溝の内上面に引っ掛かることなく滑らかに摺接し、吊り下げ保持される軒樋をその長手方向でスムーズに摺動させることができて施工し易くなる。
【発明を実施するための最良の形態】
【０００８】
図１、２は、本願請求項１〜４に対応した一実施形態の軒樋支持具を示している。この実施形態の軒樋支持具は、軒樋１をその前後で吊り下げ保持するものであって、軒樋１の前耳部２の内側に形成されて下内方へ開口した凹溝３に挿入係止される係止板状片４を支持具本体５の前端部分に備えており、係止板状片４の上端縁を正面視略円弧状の山形部６として形成したものである。この場合、山形部６は、係止板状片４の上端縁の両角部分に配設される面取り状山形部６ａと、両面取り状山形部６ａの間に設けられて面取り状山形部６ａよりも高い中央山形部６ｂと、に分けて形成されている。
【０００９】
更に、この実施形態の軒樋支持具では、両面取り状山形部６ａの曲率半径ｒよりも中央山形部６ｂの曲率半径Ｒの方が大きく形成されており、又、面取り状山形部６ａと中央山形部６ｂとの間には切欠状凹部７が形成されている。
【００１０】
以下、この実施形態の軒樋支持具を、より具体的詳細に説明する。この実施形態の軒樋支持具では、図２に示す如く、支持具本体５の前後方向中程位置上側に、連結部１１を介して支持腕体９の前端部分が結合されており、この支持腕体９の後端部分には取着板体１０が固着されていて、この取着板体１０が建物の軒先前端面（鼻板前面）に取り付けられることで、軒樋支持具は同軒先前端面に取着固定される。軒樋支持具は軒先に沿って複数が直線的に配置されて取着固定され、この複数の軒樋支持具によって軒樋１は水勾配をもって吊り下げ保持される。
【００１１】
前記連結部１１において、図１（ａ）に示す如く、支持具本体５に前後方向に長い長孔１２が穿設されており、この長孔１２に挿通されるボルトとナットとで、支持具本体５は支持腕体９の前端部分で前後方向スライド自在に結合支持されている。これにより、支持具本体５を前後方向に位置調整することで、軒先に沿った複数の軒樋支持具において、各支持具本体５を平面視で一直線上に配設することができる。又、支持具本体５の後端部分には略コ字型に折曲した後耳保持部１３が一体に形成されており、この支持具本体５や前記支持腕体９、取着板体１０等は帯状金属板材を折曲加工して形成されている。
【００１２】
軒樋１は合成樹脂の押出成形品、合成樹脂と金属薄板との複合材等でなり、底板部１４と前側板部１５と後側板部１６とで角溝型に形成されている。前側板部１５は後側板部１６よりも高く形成されており、前側板部１５及び後側板部１６の上端縁部分には各々中空状の前耳部２、後耳部１７が一体に形成されている。前耳部２は後方へ突出した中空部とその後端縁から下方へ垂下した中空部とを有しており、この垂下した中空部の前側で前耳部２の内側に凹溝３が形成されている。凹溝３は下内方へ開口していてその深さ方向で略Ｌ字状に屈曲しており、同凹溝３の開口下縁部分に係止凸条１８が突設されている。
【００１３】
支持具本体５の前端部分には上方へ折曲した係止板状片４が一体に形成されており、この係止板状片４の高さ寸法は前記凹溝３の開口から挿入されてその上下深さ寸法内に納まるように設定されている。又、図１（ｂ）に示す如く、係止板状片４は正面視横長の起立薄板状で、その上端縁が正面視略円弧状の山形部６として形成されている。ここでは山形部６が、係止板状片４の上端縁の両角部分に配設される曲率半径ｒの面取り状山形部６ａと、両面取り状山形部６ａの間に設けられる曲率半径Ｒの中央山形部６ｂと、に分けて形成されている。
【００１４】
この場合、Ｒ＞ｒで中央山形部６ｂは両面取り状山形部６ａよりも緩いＲ形状で高く形成されており、面取り状山形部６ａと中央山形部６ｂとの間には切欠状凹部７が形成されている。それ故、緩いＲ形状の中央山形部６ｂ上に軒樋１の凹溝３の内上面が接触支持されて、軒樋１はその長手方向Ｘでスムーズに摺動される。その際、係止板状片４の上端縁の両角部分にも両面取り状山形部６ａが配設形成されていて、同両角部分が凹溝３の内側壁面に引っ掛かることもなくスムーズに摺動される。
【００１５】
なお、切欠状凹部７は摺動時の衝撃を緩衝するもので、これにより、山形部６の破損や凹溝３の内側面の傷付きが防止される。又、係止板状片４の下端基部付近には、下後方へ傾斜して突出した切り起こし凸起１９が形成されており、この切り起こし凸起１９に前記軒樋１の係止凸条１８が係止されることによって、同係止板状片４からの凹溝３の抜け外れが防止される。
【００１６】
そして、支持具本体５の後耳保持部１３に軒樋１の後耳部１７が係合され、軒樋１の前耳部２内側の凹溝３が前記係止板状片４で係止支持されることによって、軒樋１はその前後で吊り下げ保持される。軒樋１の後耳部１７がその外側から後耳保持部１３で保持されているのに対し、軒樋１の前耳部２ではその内側に形成された凹溝３に挿入係止される係止板状片４で保持されているが、これは、軒樋１の前側に軒樋支持具が露出しないようにして施工仕上がり外観を向上させているのである。
【００１７】
したがって、この実施形態の軒樋支持具においては、軒樋１の前側で前耳部２の内側に形成された凹溝３に挿入係止される係止板状片４にて保持されるので、軒樋１はその前側に軒樋支持具が露出しないように吊り下げ保持され、前方からは軒樋支持具が見え難く目立たなくなって施工仕上がり外観は良好となる。しかも、起立薄板状の係止板状片４の上端縁が正面視略円弧状の山形部６として形成されているので、この山形部６は凹溝３の内上面に引っ掛かることなく滑らかに摺接し、吊り下げ保持される軒樋１をその長手方向Ｘで抵抗少なくスムーズに摺動させることができて施工し易くなる。
【００１８】
又、この実施形態の軒樋支持具においては、山形部６が、係止板状片４の上端縁の両角部分に配設される面取り状山形部６ａと、両面取り状山形部６ａの間に設けられて面取り状山形部６ａよりも高い中央山形部６ｂと、に分けて形成されているため、凹溝３の内上面には中央山形部６ｂのみが摺接して荷重支持され、同凹溝３の内側壁面には両側の面取り状山形部６ａが引っ掛かることなく滑らかに摺接されて、軒樋１はより抵抗少なくスムーズに摺動されるようになる。
【００１９】
ここで、山形部６を単一でなく両面取り状山形部６ａと中央山形部６ｂとに分けて形成することの利点を、図３に基づいて補充説明する。図３（ａ）は、単一で緩いＲ形状（曲率半径Ｒが大きい）の円弧状に山形部６を形成したものである。この場合、緩いＲ形状の山形部６には凹溝３の内上面が滑らかに摺接するものの、係止板状片４の上端縁には両角部４ａが残存し、この両角部４ａが凹溝３の内側壁面に引っ掛かって、スムーズには摺動され難いものである。又、図３（ｂ）は、前記両角部４ａを無くそうと、単一できついＲ形状（曲率半径Ｒが小さい）の円弧状に山形部６を形成しようとしたものであるが、この場合、きついＲ形状の山形部６には凹溝３の内上面が滑らかに摺接し難いだけでなく、次のような問題も生じる。
【００２０】
すなわち、上記の如く、凹溝３は下内方へ開口していてその深さ方向で略Ｌ字状に屈曲しており、同凹溝３の開口から挿入される係止板状片４の高さ寸法Ｈには制限が必要となり、前記図３（ｂ）の場合には、同制限を超えることとなって実現が難しい。しかも、この場合、係止板状片４の山形部６の巾寸法が小さくなって、起立薄板状の係止板状片４は屈曲変形し易くなり、支持強度でも問題が発生する。山形部６を単一でなく両面取り状山形部６ａと中央山形部６ｂとに分けて形成することによって、前記問題が全て解決されるものであり、係止板状片４の高さ寸法Ｈを抑え支持強度を確保しながら、スムーズな摺動を実現することができたものである。
【００２１】
更に、この実施形態の軒樋支持具においては、面取り状山形部６ａよりも中央山形部６ｂを曲率半径が大きく（Ｒ＞ｒ）なるように形成しているので、緩いＲ形状の中央山形部６ｂ上に軒樋１の凹溝３の内上面が接触支持されて、軒樋１はその長手方向Ｘでよりスムーズに摺動され、その際、係止板状片４の上端縁の両角部分にも両面取り状山形部６ａが配設形成されていて、同両角部分が凹溝３の内側壁面に引っ掛かることもなく、スムーズな摺動性が確保される。又、この場合、面取り状山形部６ａと中央山形部６ｂとの間に切欠状凹部７が形成されて山形部６には弾性が付与されるので、摺動時の緩衝性が向上されて山形部６の破損や凹溝３の内側面の傷付きが確実に防止される。
【００２２】
図４、５は、本願請求項１〜５全てに対応した別の一実施形態の軒樋支持具を示している。この実施形態の軒樋支持具では、軒樋１の前耳部２の下側内面１ａに摺接される略円弧状に湾曲したガイド板状片８が係止板状片４の両側に配設されている。この場合、係止板状片４と両ガイド板状片８とが一体とされ、支持具本体５とは別体の別部材２０として形成されて、この別部材２０が支持具本体５の前端部分に固着一体化されている。又、係止板状片４が別部材２０の前端縁部分に立設されており、係止板状片４よりも後側で同別部材２０の両側方に両ガイド板状片８は突設され、両ガイド板状片８の湾曲して凸側となる前面が軒樋１の前耳部２の下側内面１ａに摺接されるものである。
【００２３】
したがって、この実施形態の軒樋支持具においては、吊り下げ保持される軒樋１をその長手方向Ｘで摺動させる際に、軒樋１の凹溝３の内上面が摺接支持される係止板状片４の両側にて、軒樋１の前耳部２の下側内面１ａが略円弧状に湾曲したガイド板状片８で摺接ガイドされることにより、軒樋１はその前後の振れ動きが防止されてよりスムーズに摺動される。又、前記別部材２０は合成樹脂で形成されてもよく、支持具本体５と一体に金属で形成されてもよい。なお、それ以外は、上記実施形態と同様に構成されており、上記実施形態におけると同様の作用効果が奏される。
【図面の簡単な説明】
【００２４】
【図１】本願発明の一実施形態である軒樋支持具を示しており、（ａ）は施工状態の要部を示す側方からの断面図、（ｂ）は（ａ）でのＡ矢視となる要部正面図。
【図２】同軒樋支持具の外観全体を示す斜視図。
【図３】同軒樋支持具での作用効果を説明するための図であり、（ａ）、（ｂ）各々異なる軒樋支持具を示す要部正面図。
【図４】別の実施形態である軒樋支持具の外観全体を示す斜視図。
【図５】同軒樋支持具で要部となる別部材を示しており、（ａ）は施工状態の正面図、（ｂ）は平面図、（ｃ）は施工状態の側面図。
【図６】従来例である軒樋支持具の施工状態を示す側面図。
【図７】同軒樋支持具の外観全体を示す斜視図。
【符号の説明】
【００２５】
１  軒樋
１ａ  下側内面
２  前耳部
３  凹溝
４  係止板状片
５  支持具本体
６  山形部
６ａ  面取り状山形部
６ｂ  中央山形部
７  切欠状凹部
８  ガイド板状片
Ｒ、ｒ  曲率半径
【図１】
2006322146.tif 000003
【図２】
2006322146.tif 000004
【図３】
2006322146.tif 000005
【図４】
2006322146.tif 000006
【図５】
2006322146.tif 000007
【図６】
2006322146.tif 000008
【図７】
2006322146.tif 000009